(57)【要約】【課題】短時間立上可能なモードにおいて電子機器は、見かけ上の電源オフ状態であり、回路的には電源オンの状態に近く、消費電力が高くなり、長時間の電子機器部品の使用による発熱や耐久性等の問題が生じてしまう。【解決手段】かかる課題を解決するために本発明は、周囲照度を検知する照度検知部と、電子機器自身が有する機能が短時間立上可能となるように対象電子部品に待機電力を供給する待機電力供給部と、待機電力供給部による待機電力供給を行なうか行なわないかを、照度検知部での検知結果に応じて制御する制御部と、を有する電子機器を提供する。【選択図】図３
2008108303.tif 000002
【特許請求の範囲】
【請求項１】
周囲照度を検知する照度検知部と、
電子機器自身が有する機能が短時間立上可能となるように対象電子部品に待機電力を供給する待機電力供給部と、
待機電力供給部による待機電力供給を行なうか行なわないかを、照度検知部での検知結果に応じて制御する制御部と、
を有する電子機器。
【請求項２】
制御部は、
待機モードの入力を受付ける待機モード入力受付手段と、
待機モード入力受付手段に待機モードの入力が受付けられた場合に前記制御を実行する待機モード制御手段と、
を有する請求項１に記載の電子機器。
【請求項３】
制御部は、
照度閾値を保持する照度閾値保持手段と、
照度検知部が検知した周囲照度と、照度閾値保持手段にて保持されている照度閾値とを比較する比較手段と、
比較手段の比較結果が周囲照度が照度閾値よりも大きい場合に待機電力供給を行なう制御をし、周囲照度が照度閾値よりも小さい場合に待機電力供給を行なわない制御をする閾値制御手段と、
を有する請求項１又は２に記載の電子機器。
【請求項４】
待機電力供給を行なう対象電子部品は、駆動系電子部品と、その制御用電子部品である請求項１から３のいずれか一に記載の電子機器。
【請求項５】
待機電力供給を行なう対象電子部品は、常温以上で駆動する常温以上電子部品またはその電子部品のヒータである請求項１から４のいずれか一に記載の電子機器。
【請求項６】
周囲照度を検知する周囲照度検知ステップと、
所定の閾値照度と、検知された周囲照度とを比較する比較ステップと、
比較結果が周囲照度が閾値照度よりも大きい場合には電子機器自身が有する機能が短時間立上可能となるように対象電子部品に待機電力を供給する待機電力供給ステップと、
比較結果が周囲照度が閾値照度よりも小さい場合には待機電力を供給しない待機電力遮断ステップと、
を有する電子機器の駆動方法。
【発明の詳細な説明】
【技術分野】
【０００１】
本発明は、周囲照度を検知し待機モードを制御する機能を有する電子機器に関する。
【背景技術】
【０００２】
近年、家電のデジタル化に伴い、製品付加価値を追求したデジタル家電の多機能化が目覚しい。その代表例としてハードディスクビデオレコーダやＤＶＤ（Ｄｉｇｉｔａｌ  Ｖｉｄｅｏ  Ｄｉｓｃ）レコーダなどがあげられる。これら家電製品についても、パーソナルコンピュータ同様、電源投入時で初期化処理や動作診断等を含めた基本ソフトウエアが本体のＣＰＵ制御下で実行され動作している。よって、用途や形状が異なってはいるが、機器内部的にはパーソナルコンピュータとほぼ変わらない動作をしている。
【０００３】
上述したように、パーソナルコンピュータも電源投入時点に初期化処理を行い、続いて動作診断等を含めた基本ソフトウエアが実行されている。近年、パーソナルコンピュータは基本ソフトウエアの巨大化に伴い、電源投入後ユーザが機器の使用可能になるまでの時間が長くなる傾向がある。ここで、パーソナルコンピュータに関しては、機器の起動の長時間化はユーザに比較的許容されている面がある。
【０００４】
しかし、前述した家電製品において機器の起動に関して内部動作がほぼ同様であるにも関わらず、ユーザが機能を使用可能になるまでのシステム起動時間が長時間化されることは許容されない。これは、汎用性が重要視されるパーソナルコンピュータと違い、使い勝手の良さや快適な操作性が重要視される家電ではユーザの目的が異なることが原因と考えられる。
【０００５】
例えば、前述の例であげたハードディスクビデオレコーダにおいて、ＴＶ放送を視聴しているユーザが、ある時点で録画を開始したいと考え、ハードディスクビデオレコーダを起動した場合、実際に録画開始可能になるまではおおよそ電源投入より数十秒から１分程度掛かってしまい、ユーザは機器の使用に関し不満を持っていた。
【０００６】
このような不満を解消する目的で機器によっては、ユーザの操作に対し直ぐに機器の動作を可能にするため、電源オフ時ではあるが、機器の一部の回路（ＣＰＵやハードディスク等）には電力を供給した状態の待機モードを用意している。
【特許文献１】特開２０００−２０７８１４
【発明の開示】
【発明が解決しようとする課題】
【０００７】
しかし、厳密には前述した機器の状態は、単に機器の表示装置を消し、出力をミュートする等、見かけ上の電源オフ状態であり、回路的には電源オンの状態に近く、消費電力が高くなり、電力料金の増加や長時間の機器部品の使用による発熱や耐久性等の問題が生じてしまう。
【０００８】
このため、本件発明はこのような課題を解決するためになされたもので、照度センサを利用し、前述したような機器の一部の回路（ＣＰＵやハードディスクドライブ等）には電力を供給した状態の待機モードとするか、より消費電力の少ない電源オフの状態とするかを自動で判断し、消費電力の低減することができる電子機器を提供することを目的としている。
【課題を解決するための手段】
【０００９】
そこで、上記問題点を解決するために、本件発明では、周囲照度を検知する照度検知部と、電子機器自身が有する機能が短時間立上可能となるように対象電子部品に待機電力を供給する待機電力供給部と、待機電力供給部による待機電力供給を行なうか行なわないかを、照度検知部での検知結果に応じて制御する制御部と、を有する電子機器を提供する。また、制御部は、待機モードの入力を受付ける待機モード入力受付手段と、待機モード入力受付手段に待機モードの入力が受付けられた場合に前記制御を実行する待機モード制御手段と、を有する電子機器を提供する。また、制御部は、照度閾値を保持する照度閾値保持手段と、照度検知部が検知した周囲照度と、照度閾値保持手段にて保持されている照度閾値とを比較する比較手段と、比較手段の比較結果が周囲照度が照度閾値よりも大きい場合に待機電力供給を行なう制御をし、周囲照度が照度閾値よりも小さい場合に待機電力供給を行なわない制御をする閾値制御手段と、を有する電子機器を提供する。
【００１０】
また、待機電力供給を行なう対象電子部品は、駆動系電子部品と、その制御用電子部品である電子機器を提供する。また、待機電力供給を行なう対象電子部品は、常温以上で駆動する常温以上電子部品またはその電子部品のヒータである電子機器を提供する。また、周囲照度を検知する周囲照度検知ステップと、所定の閾値照度と、検知された周囲照度とを比較する比較ステップと、比較結果が周囲照度が閾値照度よりも大きい場合には電子機器自身が有する機能が短時間立上可能となるように対象電子部品に待機電力を供給する待機電力供給ステップと、比較結果が周囲照度が閾値照度よりも小さい場合には待機電力を供給しない待機電力遮断ステップと、を有する電子機器の駆動方法を提供する。
【発明の効果】
【００１１】
以上のような構成をとる本発明によって、照度検知部で周囲の照度を監視し、照度が十分低い場合、ユーザがいない、もしくは直ぐに機器の操作ができる状態ではないと判断して機器の短時間での機器起動させるための待機電力の供給を解除し、より消費電力の低い電源オフの状態にすることができる。
【発明を実施するための最良の形態】
【００１２】
以下に、各発明の実施の形態を説明する。なお、本発明はこれら実施の形態に何ら限定されるものではなく、その要旨を逸脱しない範囲において、種々なる態様で実施しうる。
【００１３】
なお、以下の実施形態と請求項の関係は次の通りである。実施形態１は、主に請求項１と請求項４と請求項５などについて説明する。また、実施形態２は、主に請求項２などについて説明する。また、実施形態３は、主に請求項３と請求項６などについて説明する。
【００１４】
<<実施形態１>>
<実施形態１の概要>
図１に本実施形態における電子機器の概略図の一例を示す。この図では、例えば電子機器がＤＶＤビデオレコーダである場合を説明する。この図において、電子機器（０１００）は、筐体前面に照度センサ（０１０１）、主電源ボタン（０１０２）やユーザが録画ビデオの再生等を操作する操作パネル（０１０３）、ＤＶＤ等のディスク媒体を出し入れするディスク挿入口（０１０４）、表示部（０１０５）、外部接続端子（０１０６）等を有している。
【００１５】
図２にこの電子機器がリビングに設置された状態を示す。図２（ａ）はリビングに明かりがついていない状態、図２（ｂ）は明かりがついている状態である。ここで、例えば、図２（ａ）のようにリビングに明かりがついていない場合、この電子機器は筐体前面にある照度センサによりリビングの明るさを検知し暗いと判断する。そして、そこにユーザがいない、もしくは直ぐに機器の操作ができる状態ではないと判断し、見かけ上の電源オフ状態で電子機器が数秒程度の短時間で立ち上げできるモード（このとき電子機器の状態としては、主電源ボタンの明かりが消灯している状態や、表示部に何も表示しない状態や、外部出力端子から映像信号を出力しない状態や、主電源ボタン以外は操作パネルのボタンを押しても反応しない状態などがある）を止め、機器の起動に必要な最小限の電子部品（例えば、照度センサやＣＰＵなどの制御回路等）だけに電力を供給するモードに自動的に移行するよう構成されている。また図２（ｂ）のようにリビングに明かりがついていれば、そこにユーザがいると判断して、ユーザが録画等の急な操作を行う場合に備え、電子機器が前述した短時間で立ち上げできるモードの維持を行うよう構成されている。
【００１６】
<実施形態１の構成>
本実施形態は、照度検知部と、待機電力供給部と、制御部と、を有する電子機器に関する。
【００１７】
図３に本実施形態における機能ブロック図の一例を示す。本実施形態の「電子機器」（０３００）は、「照度検知部」（０３０１）と、「待機電力供給部」（０３０２）と、「制御部」（０３０３）と、を有する。
【００１８】
本発明の構成要素である各部は、ハードウエア、ソフトウエア、ハードウエアとソフトウエアの両者、のいずれかにより構成される。
【００１９】
なお、本電子機器の機能ブロックや処理手順は、電子機器において中央処理装置（ＣＰＵ）がハードディスク装置やＲＯＭからメインメモリを介して読み込んだプログラムを実行することによって実現されるものである。
【００２０】
したがって、本装置は、ハードウエアとして、中央処理装置（ＣＰＵ）を中心にバス（ＢＵＳ）で接続されたメモリ、ハードディスク装置等の大規模記憶装置、ディスプレイ等の表示装置、ボタン等の入力装置、ＣＤ、ＤＶＤ等の光・磁気記憶媒体のドライブ装置を有している。
【００２１】
そして、これらハードウエアやソフトウエアは、メモリ上に展開したプログラムをＣＰＵで順次演算処理したり、メモリやハードディスク上に保持されているデータや、インターフェースを介して入力されたデータなどを加工、蓄積、出力処理したり、あるいは各ハードウエア構成部の制御を行ったりするために利用される。
【００２２】
また、この発明は電子機器として実現できるのみでなく、当該電子機器で実行される方法としても実現可能である。また、このような発明の一部をソフトウエアとして構成することができる。さらに、そのようなソフトウエアを電子機器に実行させるために用いるソフトウエア製品、及び同製品を記録媒体に固定した記録媒体も、当然にこの発明の技術的な範囲に含まれる（本明細書の全体を通じて同様である）。すなわち、以下に説明する各部（たとえば「制御部」等）や処理手順は、前記ソフトウエア（プログラム）を中央処理装置（ＣＰＵ）が読み込んで処理することによって実現されるものである。
【００２３】
「電子機器」（０３００）は、ＤＶＤビデオレコーダや、ハードディスクビデオレコーダ、ビデオテープレコーダ、オーディオコンポ、プロジェクタ、テレビ等が該当する。
【００２４】
「照度検知部」（０３０１）は、周囲照度を検知するように構成されている。例えば照度センサ等がこれに当たる。照度センサの種類としては、フォトトランジスタ型、フォトダイオード型等がある。また、使用材質としては、過去ＣｄＳセルが多用されていたが、近年の環境負荷に対する考え方の変化から、カドニウムを使用しないＮａＰｉＣａ等の代替品が用いられている。ここで、「周囲照度」とは、例えば、リビング等の居住空間で蛍光灯等の照明器具が発する光によるその場所の明るさを示す。
【００２５】
「待機電力供給部」（０３０２）とは、電子機器自身が有する機能が短時間立上可能となるように対象電子部品に待機電力を供給するように構成されている。ここで、「短時間立上」とは、ユーザの操作により、電子機器の見かけ上の電源オフ状態（完全に電源から電力が機器内の電子部品に供給されない状態ではなく、ハードディスクドライブ等の対象電子部品には電力が供給されている状態）から、直ぐに電子機器が動作可能な状態になることである。ここで、「動作可能」とは、例えば、ハードディスクビデオレコーダが、ハードディスク等の記録媒体に録画が可能であることなどを指す。また、「待機電力」とは、電子機器が見かけ上の電源オフ状態ではあるが、ハードディスクドライブ等の対象電子部品が前記短時間立上に合わせ動作可能にするため常に供給しておく電力のことである。
【００２６】
ここで「対象電子部品」とは、駆動系電子部品と、その制御用電子部品などである。またさらに、常温以上で駆動する常温以上電子部品またはその電子部品のヒータ等であってもよい。ここで、「駆動系電子部品」とは、例えば、ハードディスクドライブやＤＶＤドライブやＣＤドライブ等の機械的に駆動される電子部品であり、「制御用電子部品」とは、ＣＰＵやＣＰＵが利用するメモリ等があげられる。また、「常温以上電子部品」とは、ブラウン管の電子銃やコンポの真空管アンプ、プロジェクタの高圧水銀ランプなどの常温以上でないと駆動できない電子部品があげられる。
【００２７】
「制御部」（０３０３）は、待機電力供給部による待機電力供給を行なうか行なわないかを、照度検知部での検知結果に応じて制御するよう構成されている。
【００２８】
<実施形態１のハードウエア構成>
ここで、まず本実施形態の電子機器のハードウエア構成を説明し、次に、そのハードウエアの処理を説明する。
【００２９】
（電子機器のハードウエア構成）
図４は、上記機能的な各構成要件をハードウエアとして表現した際の、本実施形態の電子機器における構成の一例を表す概略図である。この図を利用して本実施形態の電子機器の照度センサを利用した省電力型一発起動システムのハードウエア構成部の働きについて説明する。図４に示すように、本実施形態の「電子機器」（０４００）は、「ＣＰＵ」（０４０２）と、「メモリ」（０４０３）と、「ハードディスクドライブ」（０４０４）と、「ＤＶＤドライブ」（０４０５）と、「ＥＥＰＲＯＭ」（０４０６）と、「入力デバイス」（０４０７）と、「ビデオ処理回路」（０４０８）と、「電源」（０４０９）を備えている。そして、それらが「システムバス」（０４１０）などのデータ通信経路によって相互に接続され、情報の送受信や処理を行う。また、電源からは各電子部品に対して電力供給するための「電力線」（０４１４）が接続されている。この電力線は、例えばハードディスクなどに直接電源から電力を供給するケーブルや、ＣＰＵやメモリなどを配置した基板上の配線パターンである場合もある。
【００３０】
また、その他にも、入力デバイスに「照度センサ」（０４０１）と、「リモコン受光回路」（０４１１）と、「操作パネル」（０４１２）等が接続されており。また、ビデオ処理回路には、「ディスプレイ」（０４１３）が接続されている。
【００３１】
メモリ（０４０３）は、制御プログラム（０４２１）を実行するために読み出すと同時にそのプログラムの作業領域であるワーク領域を提供する。
【００３２】
ＥＥＰＲＯＭ（Electrical Erasable Programmable Read Only Memory）（０４０６）は、制御プログラム、その他電子機器制御に必要なプログラムを格納しており、またユーザが設定した各種設定情報を保持する。また、メモリやこのＥＥＰＲＯＭなどにはそれぞれ複数のメモリアドレスが割り当てられており、ＣＰＵで実行されるプログラムは、そのメモリアドレスを特定しアクセスすることで相互にデータのやり取りを行い、処理を行うことが可能になっている。
【００３３】
ＣＰＵ（０４０２）は、メモリ上に展開されたプログラムを順次実行し、メモリ上のデータや入力デバイスを介して入力されるデータ、ＥＥＰＲＯＭに格納されているデータを処理することで各部の機能が実現される。
【００３４】
「ハードディスクドライブ」（０４０４）および「ＤＶＤドライブ」（０４０５）は、例えば本実施形態の電子機器がハードディスクビデオレコーダや、ＤＶＤビデオレコーダである場合、録画したい放送等を記憶する記録装置である。また、必要な場合ユーザが設定した各種設定情報を保持することもできる。
【００３５】
電源（０４０９）は、電子機器を構成する各電子部品に対して電力を供給する。また、対象電子部品に対して通電するためのスイッチを持ち、ＣＰＵの命令に対してスイッチのオン／オフを制御できることができる。よって、電子機器が見かけ上の電源オフ状態においても待機電力が必要な対象電子部品に対して電力を供給することができる。
【００３６】
照度センサ（０４０１）は、周囲の照度を検知し、検知された照度に応じて電流等の出力情報を出力する。
【００３７】
入力デバイス（０４０７）には、照度センサ（０４０１）と、リモコン受光回路（０４１１）と、操作パネル（０４１２）等が接続され、その接続された照度センサ等からの情報をステムバスを介してＣＰＵやメモリに送る。
【００３８】
ビデオ処理回路（０４０８）は、本実施形態の電子機器がディスプレイに対し画像等の情報を出力するための回路である。
【００３９】
「ディスプレイ」（０４１３）は、ビデオ処理回路から出力される画像情報を映し出す出力機器である。種類としてはブラウン管を用いたディスプレイやプラズマディスプレイ、液晶ディスプレイ等がある。また超高圧水銀ランプを用いたプロジェクタ等でもよい。
【００４０】
（照度検知部の処理）
照度センサは、周囲の照度を検知し、検知された照度に応じて電流や電圧等の出力情報を出力する。そして、照度センサからの出力情報が入力デバイスを介してメモリに格納される。
【００４１】
（制御部の処理）
まず、ＣＰＵは、ＥＥＰＲＯＭの所定の領域に格納されている制御プログラムを起動する。そして、ＣＰＵは、そのプログラムに基づく各種処理を実行可能な状態になっているものとする。また同時に、他のプログラムに基づく各種処理を行っても良い。制御プログラムがＣＰＵにより実行され、照度検知部で検知されメモリに格納された照度センサからの出力情報により、周囲が明るいのか、暗いのかを判断し、明るい場合は電源に対象電子部品（例えばハードディスクドライブ、ＤＶＤドライブ等）に待機電力を供給する命令を送信する。暗い場合は電源に、対象電子部品に供給する待機電力を停止する命令を送信する。
【００４２】
（待機電力供給部の処理）
制御部から送信された命令に基づき、電源は対象電子部品に供給する待機電力を停止する。また、停止の命令のない場合は待機電力の供給を続ける。
【００４３】
<実施形態１の処理の流れ>
図５は、本実施形態の電子機器における処理の流れの一例を表すフローチャートである。なお以下に示すステップは、ＥＥＰＲＯＭなどの媒体に記録され機器を制御するためのプログラムを構成する処理ステップであっても構わない。
【００４４】
この図にあるように、まず、周囲照度を検知する（Ｓ０５０１）。次に、検知した検知結果に応じて待機電力の供給を行うかどうかを判断する（Ｓ０５０２）。待機電力の供給を行わないと判断した場合には、待機電力を供給しない（Ｓ０５０３）。また、Ｓ０５０２において、検知した検知結果に応じて待機電力の供給を行うと判断する場合には、待機電力を供給する（Ｓ０５０４）。そして、処理が終了しない場合（Ｓ０５０５ＮＯ）はＳ０５０１に戻り周囲照度の検知を行う。
【００４５】
<実施形態１の効果>
以上により本実施形態における電子機器は、従来の電子機器において、短時間立ち上げモード時に不要に消費されていた電力を節約することができ、ユーザの電力消費コストを減少させることができる。また、不要な時間帯に対象電子部品の駆動をさせないため対象電子部品の寿命を延ばし電子機器の故障に対する信頼性を上げる効果もある。
【００４６】
<<実施形態２>>
<実施形態２の概要>
本実施形態は、実施形態１で説明したような制御を電子機器に行わせるかどうかを、例えばユーザがリモコンや操作パネルの所定のボタンを押す等の動作で機器に入力し設定するよう構成されている電子機器である。
【００４７】
<実施形態２の構成>
本実施形態は、照度検知部と、待機電力供給部と、制御部と、を有し、制御部は待機モード入力受付手段と、待機モード制御手段を有する電子機器に関する。
【００４８】
図６に本実施形態における機能ブロック図の一例を示す。本実施形態の「電子機器」（０６００）は、「照度検知部」（０６０１）と、「待機電力供給部」（０６０２）と、「制御部」（０６０３）と、を有し、制御部は「待機モード入力受付手段」（０６０４）と、「待機モード制御手段」（０６０５）を有する。
【００４９】
「電子機器」と、「照度検知部」と、「待機電力供給部」と、「制御部」については、実施形態１において既に記載済みであるので説明は省略する。
【００５０】
「待機モード入力受付手段」（０６０４）は、待機モードの入力を受付けるよう構成されている。「待機モード」とは、実施形態１に説明したように、電子機器において照度検知部が周囲照度を検知し、その検知結果に応じて、待機電力供給部が短時間立上可能となるように対象電子部品に待機電力供給を行うか行わないかを制御部が制御する状態のことである。
【００５１】
「待機モード制御手段」（０６０５）は、待機モード入力受付手段に待機モードの入力が受付けられた場合に前記制御を実行するよう構成されている。待機モードの入力が受付けられた場合の例としては、ユーザがリモコンや機器の操作パネルの所定のボタンを押す等の動作で機器に入力することが上げられる。
【００５２】
<実施形態２のハードウエア構成>
ここで、まず本実施形態の電子機器のハードウエア構成を説明し、次に、そのハードウエアの処理を説明する。
【００５３】
（電子機器のハードウエア構成）
図７は、上記機能的な各構成要件をハードウエアとして表現した際の、本実施形態の電子機器における構成の一例を表す概略図である。この図を利用して本実施形態の電子機器の照度センサを利用した省電力型一発起動システムのハードウエア構成部の働きについて説明する。図７に示すように、本実施形態の「電子機器」（０７００）は、「ＣＰＵ」（０７０２）と、「メモリ」（０７０３）と、「ハードディスクドライブ」（０７０４）と、「ＤＶＤドライブ」（０７０５）と、「ＥＥＰＲＯＭ」（０７０６）と、「入力デバイス」（０７０７）と、「ビデオ処理回路」（０７０８）と、「電源」（０７０９）を備えている。そして、それらが「システムバス」（０７１０）などのデータ通信経路によって相互に接続され、情報の送受信や処理を行う。また、電源からは各電子部品に対して電力供給するための「電力線」（０７１４）が接続されている。
【００５４】
また、その他にも、入力デバイスに「照度センサ」（０７０１）と、「リモコン受光回路」（０７１１）と、「操作パネル」（０７１２）等が接続されており。また、ビデオ処理回路には、「ディスプレイ」（０７１３）等が接続されている。
【００５５】
ＣＰＵとメモリとハードディスクドライブとＤＶＤドライブとＥＥＰＲＯＭとシステムバスと電力線と電源と照度センサとビデオ処理回路等についての説明は実施形態１において既に記載済みなので省略する。
【００５６】
（制御部の処理）
ユーザからのリモコンや操作パネルからの所定の操作により、入力デバイスを経由して入力された待機モード入力信号により、ＣＰＵは待機モードに入るかを判断する。次に、ＣＰＵは、待機モードに入ると判断した場合、ＥＥＰＲＯＭの所定の領域に格納されている制御プログラムを起動する。その後、実施形態１に既に記載したものと同様の処理が、照度検知部と、制御部と、待機電力供給部により行われる。
【００５７】
「照度検知部」と「待機電力供給部」についての説明は実施形態１において既に記載済みなので省略する。
【００５８】
<実施形態２の処理の流れ>
図８は、本実施形態の電子機器における処理の流れの一例を表すフローチャートである。なお以下に示すステップは、媒体に記録され計算機を制御するためのプログラムを構成する処理ステップであっても構わない。
【００５９】
この図にあるように、まず、ユーザから待機モード入力の操作が入力されたかどうか判断する（Ｓ０８０１）。次に、入力された場合、周囲照度を検知する（Ｓ０８０２）。もし、入力されない場合はＳ０８０１へ戻る。次に、検知した検知結果により対象電子部品に待機電力の供給を行うかどうかを判断する（Ｓ０８０３）。待機電力の供給を行わないと判断した場合には、待機電力を供給しない（Ｓ０８０４）。また、Ｓ０８０３において、検知した検知結果に応じて待機電力の供給を行うと判断する場合には、待機電力を供給する（Ｓ０８０５）。そして、処理が終了しない場合（Ｓ０８０６ＮＯ）はＳ０８０２に戻り周囲照度の検知を行う。
【００６０】
<実施形態２の効果>
本実施形態の電子機器により、当該電子機器を待機モードにするか、しないかをユーザが指定できるようになるため、ユーザの好みに合わせてモードの設定ができる。よって、ユーザが意図しない時に待機モードになることを防ぐことができる。
【００６１】
<<実施形態３>>
<実施形態３の概要>
本実施形態は、実施形態１の制御を行うにあたり、暗いか明るいかという周囲照度を決定するとき、所定の照度と比較し、その所定の照度よりも検知周囲照度が低ければ、暗いと判断し、所定の照度よりも検知周囲照度が高ければ明るいと判断するよう構成された電子機器である。
【００６２】
<実施形態３の構成>
本実施形態は、照度検知部と、待機電力供給部と、制御部と、を有し、制御部は照度閾値保持手段と、比較手段と、閾値制御手段を有する電子機器に関する。
【００６３】
図９に本実施形態における機能ブロック図の一例を示す。本実施形態の「電子機器」（０９００）は、「照度検知部」（０９０１）と、「待機電力供給部」（０９０２）と、「制御部」（０９０３）と、を有し、制御部は「照度閾値保持手段」（０９０６）と、「比較手段」（０９０７）と、「閾値制御手段」（０９０８）を有する。
【００６４】
「電子機器」と、「照度検知部」と、「待機電力供給部」と、「制御部」については、実施形態１において既に記載済みであるので説明は省略する。
【００６５】
「照度閾値保持手段」（０９０６）は、照度閾値を保持するよう構成されている。ここで「照度閾値」とは、例えば、本実施形態の電子機器の使用場所と想定される一般的な室内（リビング）等の照度をいう。またこの例の場合、昼の外光の入射や、夜の照明器具による照明等、照度は時間によって変化すると考えられるため、前記閾値も時間により変化するように構成してもよい。
【００６６】
「比較手段」（０９０７）は、照度検知部が検知した周囲照度と、照度閾値保持手段にて保持されている照度閾値とを比較するよう構成されている。
【００６７】
「閾値制御手段」（０９０８）は、比較手段の比較結果が周囲照度が照度閾値よりも大きい場合に待機電力供給を行なう制御をし、周囲照度が照度閾値よりも小さい場合に待機電力供給を行なわない制御をするよう構成されている。
【００６８】
<実施形態３のハードウエア構成>
ここで、まず本実施形態の電子機器のハードウエア構成を説明し、次に、そのハードウエアの処理を説明する。
【００６９】
（電子機器のハードウエア構成）
図１０は、上記機能的な各構成要件をハードウエアとして表現した際の、本実施形態の電子機器における構成の一例を表す概略図である。この図を利用して本実施形態の電子機器の照度センサを利用した省電力型一発起動システムのハードウエア構成部の働きについて説明する。図１０に示すように、本実施形態の「電子機器」（１０００）は、「ＣＰＵ」（１００２）と、「メモリ」（１００３）と、「ハードディスクドライブ」（１００４）と、「ＤＶＤドライブ」（１００５）「ＥＥＰＲＯＭ」（１００６）と、「入力デバイス」（１００７）と、「ビデオ処理回路」（１００８）と、「電源」（１００９）を備えている。そして、それらが「システムバス」（１０１０）などのデータ通信経路によって相互に接続され、情報の送受信や処理を行う。また、電源からは各電子部品に対して電力供給するための「電力線」（１０１４）が接続されている。
【００７０】
また、その他にも、入力デバイスに「照度センサ」（１００１）と、「リモコン受光回路」（１０１１）と、「操作パネル」（１０１２）等が接続されており。また、ビデオ処理回路には、「ディスプレイ」（１０１３）等が接続されている。
【００７１】
「メモリ」（１００３）は、制御プログラム（１０２１）と、制御プログラムに付随する比較プログラム（１０２２）と閾値制御プログラム（１０２３）を実行するために読み出すと同時にそのプログラムの作業領域であるワーク領域を提供する。また、照度閾値情報（１０２４）をプログラムのデータ領域に保持する。
【００７２】
「ＥＥＰＲＯＭ」（１００６）は、制御プログラムと、比較プログラムと、閾値制御プログラムと照度閾値情報と、その他電子機器制御に必要なプログラムを格納しており、またユーザが設定した各種設定情報を保持する。
【００７３】
ＣＰＵとハードディスクドライブとＤＶＤドライブとシステムバスと電力線と電源と照度センサとビデオ処理回路等についての説明は実施形態１において既に記載済みなので省略する。
【００７４】
（照度検知部の処理）
照度センサは、周囲の照度を検知し、検知された照度に応じて電流や電圧等の出力情報を出力する。そして、照度センサからの出力情報が入力デバイスを介してメモリに格納される。
【００７５】
（制御部の処理）
まず、ＣＰＵは、ＥＥＰＲＯＭの所定の領域に格納されている制御プログラムと比較プログラムと閾値制御プログラムを起動する。そして、ＣＰＵは、そのプログラムに基づく各種処理を実行可能な状態になっているものとする。また同時に、他のプログラムに基づく各種処理を行っても良い。比較プログラムに従い、ＣＰＵはＥＥＰＲＯＭの所定の領域に格納されている照度閾値情報をメモリに読み出す。次に、比較プログラムに従いＣＰＵは、照度検知部の処理によりメモリに格納された照度センサからの出力情報と、前記照度閾値情報を比較する。さらに、閾値制御プログラムに従いＣＰＵは、比較プログラムの実行により比較した結果、照度センサからの出力情報が照度閾値情報より大きい場合、電源に対し対象電子部品（例えばハードディスクドライブ等）に電力供給する待機電力を供給する命令を送信する。また、比較した結果、照度センサからの出力情報が照度閾値情報より小さい場合、電源に対し対象電子部品に供給する待機電力を停止する命令を送信する。
【００７６】
なお、「待機電力供給部」についての説明は実施形態１において既に記載済みなので省略する。
【００７７】
<実施形態３の処理の流れ>
図１１は、本実施形態の電子機器における処理の流れの一例を表すフローチャートである。なお以下に示すステップは、媒体に記録され計算機を制御するためのプログラムを構成する処理ステップであっても構わない。
【００７８】
この図にあるように、まず、周囲照度を検知する（Ｓ１１０１）。次に、所定の閾値照度と、検知された周囲照度とを比較する（Ｓ１１０２）。次に、比較結果が周囲照度が閾値照度よりも大きいか判断する（Ｓ１１０３）。次に、比較結果が周囲照度が閾値照度よりも大きい場合には電子機器自身が有する機能が短時間立上可能となるように対象電子部品に待機電力を供給する（Ｓ１１０４）。また、比較結果が周囲照度が閾値照度よりも小さい場合には待機電力を供給しない（Ｓ１１０５）。そして、処理が終了しない場合（Ｓ１１０６ＮＯ）はＳ１１０１に戻り周囲照度の検知を行う。
【００７９】
<実施形態３の効果>
本実施形態の電子機器は、照度センサによって周囲の照度を監視し、閾値照度以上なら対象電子部品に待機電力を供給する、もしくは、閾値照度以下なら対象電子部品に待機電力を供給しないの判断をする。このことにより、照度センサによって周囲の照度を監視し周囲照度が閾値照度より低い場合には周囲に人がいないか、直ぐに操作が必要ない状態であると判断して、対象電子部品に待機電力を供給する状態を解除し、電子機器をより電力消費が少ないモードに移行することができる。このことにより、従来の電子機器において、当該モード時に消費されていた電力を節約することができユーザの電力消費コストを減少させることができる。また、閾値照度を例えば時間等により変化させることで、本実施形態の電子機器を使用するユーザに違和感なく、電子機器自身が短時間立上可能なモードから電源オフに近い低消費電力モードに移行することができる。
【図面の簡単な説明】
【００８０】
【図１】実施形態１における電子機器の概略図の一例
【図２】実施形態１における電子機器の使用状況の一例
【図３】実施形態１における機能ブロック図の一例
【図４】実施形態１の電子機器におけるハードウエア構成の一例
【図５】実施形態１の電子機器における処理の流れの一例
【図６】実施形態２における機能ブロック図の一例
【図７】実施形態２の電子機器におけるハードウエア構成の一例
【図８】実施形態２の電子機器における処理の流れの一例
【図９】実施形態３における機能ブロック図の一例
【図１０】実施形態３の電子機器におけるハードウエア構成の一例
【図１１】実施形態３の電子機器における処理の流れの一例
【符号の説明】
【００８１】
０３００    電子機器
０３０１    照度検知部
０３０２    待機電力供給部
０３０３    制御部
【図１】
2008108303.tif 000003
【図２】
2008108303.tif 000004
【図３】
2008108303.tif 000005
【図４】
2008108303.tif 000006
【図５】
2008108303.tif 000007
【図６】
2008108303.tif 000008
【図７】
2008108303.tif 000009
【図８】
2008108303.tif 000010
【図９】
2008108303.tif 000011
【図１０】
2008108303.tif 000012
【図１１】
2008108303.tif 000013